(57)【要約】【課題】内容物を収容する容器本体と、容器本体に収容された内容物を噴射する噴射口が穿設されたノズル部を有する噴射器とを備え、噴射口及び周辺に付着した内容物を容易に除去することが可能な噴射容器、噴射容器に用いられるキャップ部材及び噴射容器に内容物を収容した噴射製品の提供。【解決手段】噴射容器１は、噴射器１１の近傍に配置可能に形成され、噴射面１１２に付着した内容物を除去する除去部１２０を、例えば、キャップ部材１２に備えている。また、噴射容器１のノズル部１１０は、噴射口１１１が穿設された噴射面１１２が、曲率半径３〜６ｍｍの球冠状に形成されている。そして、例えば、キャップ部材１２を着脱する場合のように、除去部１２０が噴射器１１に対して相対的に動く場合、除去部１２０は噴射面１１２上を摺動し、噴射口１１１及び周辺に付着した内容物を除去する。【選択図】図５
2018043180.tif 000002
【特許請求の範囲】
【請求項１】
内容物を収容する容器本体と、前記容器本体内に収容された内容物を噴射する噴射口が穿設されたノズル部を有する噴射器とを備える噴射容器であって、
前記ノズル部は、噴射口が穿設された噴射面が、曲率半径３〜６ｍｍの球冠状に形成されており、
前記噴射器の近傍に配置され、前記噴射面に付着した内容物を除去する除去部を備え、
前記除去部が前記噴射器に対して相対的に動く場合、前記除去部は前記噴射面上を摺動する
ことを特徴とする噴射容器。
【請求項２】
請求項１に記載の噴射容器であって、
前記ノズル部は、噴射する内容物の流路となり、一端側に前記噴射口が位置するノズル管を備え、
前記ノズル管の内径は、前記噴射口側に向かって漸次狭小している
ことを特徴とする噴射容器。
【請求項３】
請求億１又は請求項２に記載の噴射容器であって、
前記噴射口を覆うことが可能なキャップ部材を備え、
前記除去部は、前記キャップ部材に設けられている
ことを特徴とする噴射容器。
【請求項４】
請求項３に記載の噴射容器であって、
前記キャップ部材は、着脱可能であり、
前記除去部は、前記キャップ部材の着脱の際に、前記噴射面上を摺動する
ことを特徴とする噴射容器。
【請求項５】
請求項４に記載の噴射容器であって、
前記除去部は、前記キャップ部材が装着された場合に、前記噴射口よりも装着方向奥側に位置するように前記キャップ部材に設けられている
ことを特徴とする噴射容器。
【請求項６】
請求項４に記載の噴射容器であって、
前記噴射器は、前記容器本体の上端部に設けられ、前記噴射口が側部に穿設されており、
前記キャップ部材は、前記噴射器を覆うように上方から装着可能であり、
前記除去部は、前記キャップ部材が装着された場合に、前記噴射口よりも下側に位置するように前記キャップ部材に設けられている
ことを特徴とする噴射容器。
【請求項７】
請求項６に記載の噴射容器であって、
前記キャップ部材は、円筒状をなし、
前記除去部は、前記キャップ部材の内周側に設けられている
ことを特徴とする噴射容器。
【請求項８】
請求項１又は請求項２に記載の噴射容器であって、
前記噴射器を露出させ、かつ前記噴射器の周囲を囲うように配設されたカバー部材を備え、
前記噴射器の回動又は前記噴射器を中心とした前記カバー部材の回動により、前記カバー部材は、前記噴射器の周囲を相対的に移動可能であり、
前記除去部は、前記カバー部材に設けられており、
前記除去部は、前記カバー部材の移動の際に、前記噴射面上を摺動する
ことを特徴とする噴射容器。
【請求項９】
請求項１又は請求項２に記載の噴射容器であって、
前記噴射器は、前記容器本体の上端部に設けられ、前記噴射口が側部に穿設されており、
前記噴射器を露出させ、かつ前記噴射器の周囲を環状に囲うように配設されたカバー部材と、
前記カバー部材に突設され、前記除去部を設けられた突設支持部と
を備え、
前記カバー部材は、前記噴射器の周囲を周方向に移動可能であり、
前記除去部は、前記カバー部材の移動の際に、前記噴射面上を摺動する
ことを特徴とする噴射容器。
【請求項１０】
請求項８又は請求項９に記載の噴射容器であって、
前記カバー部材及び噴射器を相対的に移動させることにより、噴射の可否を切り替える可能である
ことを特徴とする噴射容器。
【請求項１１】
請求項１乃至請求項１０のいずれか１項に記載の噴射容器であって、
前記除去部は、櫛状、ブラシ状又は可撓性を有するブレード状をなす
ことを特徴とする噴射容器。
【請求項１２】
請求項１乃至請求項１１のいずれか１項に記載の噴射容器であって、
前記除去部は、ゴム弾性を有する
ことを特徴とする噴射容器。
【請求項１３】
請求項１乃至請求項１２のいずれか１項に記載の噴射容器であって、
エアゾール式噴射容器又はポンプ式噴射容器である
ことを特徴とする噴射容器。
【請求項１４】
内容物を収容する容器本体と、前記容器本体内に収容された内容物を噴射する噴射口が穿設されたノズル部を有する噴射器とを備える噴射容器の噴射口を覆うことが可能なキャップ部材であって、
請求項１乃至請求項７のいずれか１項に記載の噴射容器に使用可能である
ことを特徴とするキャップ部材。
【請求項１５】
請求項１乃至請求項１３のいずれか１項に記載の噴射容器が備える容器本体内に内容物を収容し、収容した内容物を噴射口から噴射可能である
ことを特徴とする噴射製品。
【発明の詳細な説明】
【技術分野】
【０００１】
本発明は、内容物を収容する容器本体と、前記容器本体内に収容された内容物を噴射する噴射口が穿設されたノズル部を有する噴射器とを備える噴射容器、そのような噴射容器に用いられるキャップ部材、及びそのような噴射容器に内容物を収容した噴射製品に関する。
【背景技術】
【０００２】
従来から、女性又は男性化粧品用、髭剃り用、頭髪用、消臭用、芳香用、医薬用、防虫用、殺虫用等の様々な内容物を噴射口から噴射するエアゾール製品が普及している（例えば、特許文献１参照。）。
【先行技術文献】
【特許文献】
【０００３】
【特許文献１】特開平８−９９８６８号公報
【発明の概要】
【発明が解決しようとする課題】
【０００４】
このようなエアゾール製品を繰り返し使用すると、噴射口及びその周辺部に内容物が付着し、固化又はペースト状化する場合がある。そして、内容物が固化又はペースト状化した状態が継続すると、付着固化した固化物等が次第に大きくなって噴射口を塞ぎ、内容物の噴射不良、更には噴射不能な状態を引き起こす場合がある。しかも、付着固化した固化物等がある程度大きくなった状態を放置すると、固化物の除去さえも容易ではなくなるという問題がある。
【０００５】
本発明は斯かる事情に鑑みてなされたものであり、噴射口が穿設された噴射面を球冠状に形成し、噴射口との相対的な移動により噴射面に付着した内容物を除去する除去部を設けることにより、付着した内容物を除去することが可能な噴射容器の提供を主たる目的とする。
【０００６】
また、本発明は、本発明に係る噴射容器に用いられるキャップ部材の提供を他の目的とする。
【０００７】
また、本発明は、本発明に係る噴射容器に内容物を収容した噴射製品の提供を更に他の目的とする。
【課題を解決するための手段】
【０００８】
上記課題を解決するために、本願記載の噴射容器は、内容物を収容する容器本体と、前記容器本体内に収容された内容物を噴射する噴射口が穿設されたノズル部を有する噴射器とを備える噴射容器であって、前記ノズル部は、噴射口が穿設された噴射面が、曲率半径３〜６ｍｍの球冠状に形成されており、前記噴射器の近傍に配置され、前記噴射面に付着した内容物を除去する除去部を備え、前記除去部が前記噴射器に対して相対的に動く場合、前記除去部は前記噴射面上を摺動することを特徴とする。
【０００９】
また、前記噴射容器において、前記ノズル部は、噴射する内容物の流路となり、一端側に前記噴射口が位置するノズル管を備え、前記ノズル管の内径は、前記噴射口側に向かって漸次狭小していることを特徴とする。
【００１０】
また、前記噴射容器において、前記噴射口を覆うことが可能なキャップ部材を備え、前記除去部は、前記キャップ部材に設けられていることを特徴とする。
【００１１】
また、前記噴射容器において、前記キャップ部材は、着脱可能であり、前記除去部は、前記キャップ部材の着脱の際に、前記噴射面上を摺動することを特徴とする。
【００１２】
また、前記噴射容器において、前記除去部は、前記キャップ部材が装着された場合に、前記噴射口よりも装着方向奥側に位置するように前記キャップ部材に設けられていることを特徴とする。
【００１３】
また、前記噴射容器において、前記噴射器は、前記容器本体の上端部に設けられ、前記噴射口が側部に穿設されており、前記キャップ部材は、前記噴射器を覆うように上方から装着可能であり、前記除去部は、前記キャップ部材が装着された場合に、前記噴射口よりも下側に位置するように前記キャップ部材に設けられていることを特徴とする。
【００１４】
また、前記噴射容器において、前記キャップ部材は、円筒状をなし、前記除去部は、前記キャップ部材の内周側に設けられていることを特徴とする。
【００１５】
また、前記噴射容器において、前記噴射器を露出させ、かつ前記噴射器の周囲を囲うように配設されたカバー部材を備え、前記噴射器の回動又は前記噴射器を中心とした前記カバー部材の回動により、前記カバー部材は、前記噴射器の周囲を相対的に移動可能であり、前記除去部は、前記カバー部材に設けられており、前記除去部は、前記カバー部材の移動の際に、前記噴射面上を摺動することを特徴とする。
【００１６】
また、前記噴射容器において、前記噴射器は、前記容器本体の上端部に設けられ、前記噴射口が側部に穿設されており、前記噴射器を露出させ、かつ前記噴射器の周囲を環状に囲うように配設されたカバー部材と、前記カバー部材に突設され、前記除去部を設けられた突設支持部とを備え、前記カバー部材は、前記噴射器の周囲を周方向に移動可能であり、前記除去部は、前記カバー部材の移動の際に、前記噴射面上を摺動することを特徴とする。
【００１７】
また、前記噴射容器において、前記カバー部材及び噴射器を相対的に移動させることにより、噴射の可否を切り替える可能であることを特徴とする。
【００１８】
また、前記噴射容器において、前記除去部は、櫛状、ブラシ状又は可撓性を有するブレード状をなすことを特徴とする。
【００１９】
また、前記噴射容器において、前記除去部は、ゴム弾性を有することを特徴とする。
【００２０】
また、前記噴射容器において、エアゾール式噴射容器又はポンプ式噴射容器であることを特徴とする。
【００２１】
更に、本願記載のキャップ部材は、内容物を収容する容器本体と、前記容器本体内に収容された内容物を噴射する噴射口が穿設されたノズル部を有する噴射器とを備える噴射容器の噴射口を覆うことが可能なキャップ部材であって、前記噴射容器に使用可能であることを特徴とする。
【００２２】
更に、本願記載の噴射製品は、前記噴射容器が備える容器本体内に内容物を収容し、収容した内容物を噴射口から噴射可能であることを特徴とする。
【００２３】
本願記載の噴射容器、キャップ部材及び噴射製品は、噴射口及び／又は噴射口の周囲に付着した内容物を除去することが可能である。
【発明の効果】
【００２４】
本発明に係る噴射容器は、噴射口が穿設された噴射面を球冠状に形成し、噴射口との相対的な移動により噴射面に付着した内容物を除去する除去部を設けている。また、本発明に係るキャップ部材は、本発明に係る噴射容器に使用可能であり、除去部が設けられている。また、本発明に係る噴射製品は、本発明に係る噴射容器に内容物を収容している。これにより、本発明は、噴射口及び／又は噴射口の周囲に付着した内容物を、噴射口及び除去部の相対的な移動により、除去部が内容物を除去することが可能である等、優れた効果を奏する。そして、この効果は、内容物が固化又はペースト状化して噴射口を塞ぎ、内容物の噴射不良、更には噴射不能な状態を引き起こすことを防止するという付随的な効果にも繋がり得る。
【図面の簡単な説明】
【００２５】
【図１】本発明に係る噴射容器の外観の一例を示す斜視図である。
【図２】本発明に係る噴射容器に用いられるキャップ部材の一例を示す図面である。
【図３】本発明に係る噴射容器の上部の一例を示す縦断面図である。
【図４】本発明に係る噴射容器が備える噴射器のうちノズル部を主として示す横断面図である。
【図５】本発明に係る噴射容器の上部の一例を示す縦断面図である
【図６】本発明に係る噴射容器が備える噴射器のうちノズル部を主として示す横断面図である。
【図７】本発明に係る噴射容器の上部の一例を示す図面である。
【図８】本発明に係る噴射容器が備える各種部材の一例を示す図面である。
【図９】本発明に係る噴射容器の上部の外観の一例を上斜方からの視点で示す斜視図である。
【図１０】本発明に係る噴射容器の上部の一例を様々な視点で示す図面である。
【図１１】本発明に係る噴射容器の上部の一例を様々な視点で示す図面である。
【図１２】本発明に係る噴射容器の上部の一例を様々な視点で示す図面である。
【発明を実施するための形態】
【００２６】
以下、本発明の実施形態について図面を参照しながら説明する。なお、以下の実施形態は、本発明を具現化した一例であって、本発明の技術的範囲を限定する性格のものではない。
【００２７】
＜実施形態１＞
図１は、本発明に係る噴射容器の外観の一例を示す斜視図である。図１は、本発明に係る噴射容器１をエアゾール式噴射容器に適用した例を示している。噴射容器１は、内容物を収容する容器本体１０と、容器本体１０に収容された内容物を噴射する噴射ボタンとして機能する噴射器１１と、着脱可能なキャップ部材１２とを備えている。図１（ａ）は、キャップ部材１２を装着した状態を示しており、図１（ｂ）は、キャップ部材１２を外した状態を示している。容器本体１０は、有底円筒状をなし、上底となる上端部に噴射器１１が設けられている。噴射器１１は、容器本体１０に収容された内容物を噴射する噴射口１１１が穿設されたノズル部１１０を有している。噴射口１１１は、噴射器１１の側部に穿設されており、使用者が、容器本体１０を握持して、噴射器１１を上方から押下することにより、側部に穿設された噴射口１１１から内容物が側方へ噴射する。なお、以降の説明では、エアゾール式噴射容器について説明するが、本発明に係る噴射容器１は、ポンプ式噴射容器等の各種の内容物を噴射することができる様々な噴射容器１に適用することが可能である。
【００２８】
図２は、本発明に係る噴射容器１に用いられるキャップ部材１２の一例を示す図面である。図２（ａ）は、一部切欠斜視図であり、図２（ｂ）は、平面図である。キャップ部材１２は、樹脂製で円筒状をなしている。キャップ部材１２の天部の中央部分は、円筒状の窪みが形成されており、円筒状の窪みの底面に貫通孔１２１が開設されている。キャップ部材１２の貫通孔１２１の内周側には、ゴム弾性を有するエラストマー素材により形成された櫛状をなす除去部１２０の突起がキャップ部材１２の中心軸側へ向けて多数突設されている。そして、キャップ部材１２を容器本体１０に取り付ける場合、及び取り外す場合に、噴射器１１の噴射口１１１が穿設された噴射面１１２に除去部１２０が接触し、その状態で摺動することにより、噴射口１１１及び噴射面１１２に付着している内容物を掻き取って除去することができる。
【００２９】
図３は、本発明に係る噴射容器１の上部の一例を示す縦断面図であり、図４は、本発明に係る噴射容器１が備える噴射器１１のうちノズル部１１０を主として示す横断面図である。図３は、噴射容器１の上部の縦断面を主として噴射器１１について示しており、図４は、噴射容器１について主にノズル部１１０の横断面を示している。噴射器１１は、ノズル部１１０を有しており、本体容器に収容された内容物を噴射する噴射ボタンとして機能する。容器本体１０の上端には、バルブステム１０１が設けられており、バルブステム１０１はノズル部１１０に連結している。ノズル部１１０は、噴射口１１１が穿設された噴射面１１２を備えるとともに、噴射する内容物の流路として水平方向に延伸するノズル管１１３を備えており、ノズル管１１３の一端側には噴射口１１１が位置し、他端側はバルブステム１０１と連通している。
【００３０】
噴射面１１２は、噴射方向に突出した球冠状に形成されており、球冠の直径方向にノズル管１１３が延びている。なお、図３及び図４は、曲率半径４．５ｍｍの球冠状に形成された噴射面１１２が形成された例を示しており、曲率半径は、３〜６ｍｍとすることが好ましい。ノズル管１１３は、直線状に延びる管であり、ノズル管１１３の内径は、バルブステム１０１との連結部分から中央部付近までは一定であるが、噴射口１１１側の先端近傍は、噴射口１１１側に向かって漸次狭小している。図３及び図４では、ノズル管１１３の先端近傍の内径が１２０°の角度で漸次狭小している形態を例示しており、中央部付近の内径は、１．２ｍｍであるのに対し、先端の内径は、０．５ｍｍまで縮小している。ノズル管１１３の先端には、内径０．５ｍｍ×厚み０．２ｍｍの部材を用いた内径０．５ｍｍの噴射口１１１が設けられている。
【００３１】
図５は、本発明に係る噴射容器１の上部の一例を示す縦断面図である。図５（ａ）は、キャップ部材１２を取り付けている途中の状態を示し、図５（ｂ）は、キャップ部材１２の取り付けが完了した状態を示している。キャップ部材１２は、容器本体１０及び噴射器１１の上方から被せ、図５（ａ）に示す状態から矢印にて示すように更に押し下げることで、キャップ部材１２の下端部に、容器本体１０の上端外周縁部が嵌合する。そして、図５（ｂ）に示すようにキャップ部材１２が容器本体１０に取り付けられた場合、キャップ部材１２の天部から形成された窪みの底面に開設された貫通孔１２１の内周側に突設された除去部１２０の位置は、噴射器１１の噴射口１１１の位置よりも低い位置となる。即ち、キャップ部材１２が容器本体１０に装着された場合、除去部１２０は、噴射口１１１よりも装着方向奥側に位置する。
【００３２】
従って、キャップ部材１２を容器本体１０に取り付ける場合、及び取り外す場合に、キャップ部材１２の窪みの底面に開設された貫通孔１２１の内周部に突設された櫛状の多数の突起にて形成される除去部１２０が、噴射器１１の噴射口１１１及び噴射口１１１が穿設された噴射面１１２に接触し、接触部分を引っ掻いて擦るように摺動する。このような摺動により、噴射口１１１及び噴射口１１１の周辺に付着又は固化或いはペースト状化した内容物が削がれ除去されることになる。
【００３３】
また、噴射口１１１が穿設された噴射面１１２が噴射方向となる外側に膨出する球冠状に形成することにより、内容物が噴射面１１２に付着し難く、しかも、付着した場合も掻き取り易くなる。図６は、本発明に係る噴射容器１が備える噴射器１１のうちノズル部１１０を主として示す横断面図である。図６は、噴射容器１のノズル部１１０の横断面により、噴射面１１２の変形例を示している。図６（ａ）は、噴射面１１２の曲率半径が３ｍｍの例、図６（ｂ）は、噴射面１１２の曲率半径が４ｍｍの例、図６（ｃ）は、噴射面１１２の曲率半径が５ｍｍの例、そして、図６（ｄ）は、噴射面１１２の曲率半径が６ｍｍの例を示している。内容物が噴射面１１２に付着し難く、かつ付着した内容物を掻き取り易くなるという効果は、図６（ａ）〜図６（ｄ）に示すように、球冠の曲率半径を３〜６ｍｍとすることで顕著となる。
【００３４】
更に、ノズル管１１３の内径を噴射口１１１側に向かって漸次狭小するように形成することにより、ノズル管１１３の内径を一定にした場合と比べて、液滴径を小さくし、内容物を細かな霧状に噴霧（噴射）することが可能となる。なお、ノズル管１１３の噴射口１１１近傍を、複数の細溝が螺旋状に形成されたメカニカルブレークアップ機構に形成することでも、細かな液滴の霧を噴霧することが可能であるが、細溝が形成されたメカニカルブレークアップ機構では、目詰まりが発生し易いという問題点がある。対して、ノズル管１１３の内径を漸次狭小した場合は、この様な目詰まりの発生を起こすこと無く、液滴を細かくすることが可能である。
【００３５】
＜実施形態２＞
実施形態２の説明において、実施形態１と同様の構成については、実施形態１を参照するものとし、詳細な説明を省略する。
【００３６】
図７は、本発明に係る噴射容器１の上部の一例を示す図面である。図７（ａ）は、噴射容器１の上部の外観を示す正面図である。図７（ｂ）は、キャップ部材１２を装着した噴射容器１について、ノズル部１１０及び装着されたキャップ部材１２を主とした横断面を模式的に示している。
【００３７】
実施形態２において、容器本体１０の上端には、キャップ部材１２と相互に螺合可能な雄ネジ部１０２が形成されている。キャップ部材１２は、下面が開口し、上底を有する有底円筒状をなし、下端部分の内周には、容器本体１０の雄ネジ部１０２に螺合する雌ネジ部１２２が刻設されている。使用者は、容器本体１０の上端の雄ネジ部１０２に上方からキャップ部材１２を螺着させることにより、噴射器１１はキャップ部材１２に覆われる。
【００３８】
キャップ部材１２の内周側には、キャップ部材１２の中心軸方向へ向かってブラシ状の除去部１２０が２箇所に突設されている。図７では、キャップ部材１２の内周側に除去部１２０が２箇所に突設されているが、突設させる個数は適宜決定することが可能であり、更には、内周側の全範囲に設けることも可能である。
【００３９】
従って、キャップ部材１２は、容器本体１０の雄ネジ部１０２に螺合していく場合、及び取り外す場合に、キャップ部材１２の内周面に突設されたブラシ状の除去部１２０の先端が噴射器１１の噴射口１１１及び噴射口１１１が穿設された噴射面１１２に接触し、接触部分を擦るように摺動する。このような摺動により、噴射口１１１及び噴射口１１１の周辺に付着又は固化或いはペースト状化した内容物が削がれ除去されることになる。
【００４０】
＜実施形態３＞
実施形態３の説明において、実施形態１と同様の構成については、実施形態１を参照するものとし、詳細な説明を省略する。
【００４１】
図８は、本発明に係る噴射容器１が備える各種部材の一例を示す図面である。図８（ａ）は、キャップ部材１２の外観を上斜方からの視点で示す斜視図である。図８（ｂ）及び図８（ｃ）は、キャップ部材１２を装着した噴射器１１の縦断面を模式的に示しており、図８（ｂ）が噴射口１１１を覆っている状態を示し、図８（ｃ）が噴射口１１１を開放して使用する状態を示している。
【００４２】
実施形態３に係る噴射容器１は、キャップ部材１２を噴射器１１から取り外さなくても、使用することが可能である。実施形態３において、キャップ部材１２は、下面が開口し、上底を有する有底円筒状をなしている。キャップ部材１２の上底面には径方向に一定幅で延びる切り欠きがある。切り欠きは、キャップ部材１２の上底面を両方の縁部まで延びており、更に縁部から下方へ向かってキャップ部材１２の側壁部の途中まで延伸している。
【００４３】
キャップ部材１２の上底面の切り欠きには、噴射器１１の押下に用いられる板状の押下部材１２３が嵌合している。押下部材１２３は、上底面の切り欠きに嵌合する天部と、天部の縁部から噴射口１１１側の下方へ屈曲した側部とを有しており、側部の先端の内周側には、キャップ部材１２の中心軸方向へ向かってブラシ状の除去部１２０が突設されている。また、上底面の中心から噴射口１１１側にずれた位置に、切り欠きを幅方向に渡す揺動軸１２５が架設されており、揺動軸１２５により、押下部材１２３は揺動自在に軸支されている。噴射器１１の上端には、キャップ部材１２の上底面の略中心の下方に位置し、押下部材１２３の天部に下方から当接する当接部材１２４が配設されている。
【００４４】
そして、使用者は、押下部材１２３の噴射口１１１とは反対側の縁部を白抜き矢印にて示すように押下することで、図８（ｂ）から図８（ｃ）に示すように、押下部材１２３が揺動軸１２５を中心に、図８に向かって左回りに揺動し、当接部材１２４を上方から押圧する。また、押下部材１２３が揺動することにより、噴射器１１の噴射口１１１の前方が開放される。当接部材１２４が上方から押圧されることにより、噴射器１１が太線矢印にて示すように下方に移動し、これにより下降したバルブステム１０１を通って容器本体１０に収容された内容物が噴射口１１１から噴射される。そして、使用者が押下部材１２３の押下を止めた場合、バルブステム１０１が上昇するため、押下部材１２３が逆方向に揺動し、噴射口１１１の前方が押下部材１２３に覆われる。なお、押下部材１２３が必要以上に揺動しないように、押下部材１２３の揺動範囲は、図示しない規制部材により規制されている。
【００４５】
従って、キャップ部材１２に軸支された押圧部材が揺動する場合、押圧部材の側部の内周側に突設されたブラシ状の除去部１２０の先端が噴射器１１の噴射口１１１及び噴射口１１１が穿設された噴射面１１２に接触し、接触部分を擦るように摺動する。このような摺動により、噴射口１１１及び噴射口１１１の周辺に付着又は固化或いはペースト状化した内容物が削がれ除去されることになる。
【００４６】
なお、実施形態３は、押圧部材が揺動することにより、除去部１２０が噴射口１１１及び噴射面１１２を摺動する構成であれば、様々な形態に展開することが可能である。例えば、当接部材１２４が押圧部材を下方から揺動自在に支持する形態でもよく、更には、その形態で、押圧部材及び当接部材１２４の双方をキャップ部材１２側に取り付けても良く、また、噴射器１１側に取り付けても良い。
【００４７】
＜実施形態４＞
実施形態４の説明において、実施形態１と同様の構成については、実施形態１を参照するものとし、詳細な説明を省略する。
【００４８】
図９は、本発明に係る噴射容器１の上部の外観の一例を上斜方からの視点で示す斜視図である。図９（ａ）は、キャップ部材１２を装着した噴射器１１を、噴射口１１１が露出する斜め前方から示しており、図９（ｂ）は、斜め後方から示している。図１０は、本発明に係る噴射容器１の上部の一例を様々な視点で示す図面である。図１０（ａ）は、キャップ部材１２を装着した噴射器１１の外観を示す正面図、図１０（ｂ）は、噴射器１１の外観を示す側面図、図１０（ｃ）は、噴射器１１の外観を示す平面図、そして、図１０（ｄ）は、噴射器１１の縦断面を模式的に示している。
【００４９】
実施形態４に係る噴射容器１は、キャップ部材１２を噴射器１１から取り外さなくても使用することが可能である。キャップ部材１２は、両矢印で示すように容器本体１０の上端部で周方向に回動可能に形成されている。キャップ部材１２の側壁の一部は、内側へ凹む凹部が形成されており、凹部に円形状の開口部が開設されている。そして、開口部が噴射器１１の噴射口１１１の位置に合致するようにキャップ部材１２を回動させることができる。また、キャップ部材１２の上部から開口部の反対側の側壁にかけても開口しており、噴射器１１を押下することができる。更に、回動するキャップ部材１２の内周側には、ゴム弾性を有するエラストマー素材で形成されたブレード状の除去部１２０が、キャップ部材１２の中心軸方向へ向かって突設されている。
【００５０】
開口部が噴射口１１１と合致する位置が、噴射可能（オープン）位置となり、開口部が噴射口１１１と合致しない位置が、噴射不能（ロック）位置となる。なお、噴射不能位置では、図示しない係合部材により、噴射器１１は押下不能となっている。
【００５１】
従って、キャップ部材１２が噴射可能位置から噴射不能位置、及び噴射不能位置から噴射可能位置へ回動する場合、押圧部材の側部の内周側に突設されたブレード状の除去部１２０の先端が噴射器１１の噴射口１１１及び噴射口１１１が穿設された噴射面１１２に接触し、接触部分を擦るように摺動する。このような摺動により、噴射口１１１及び噴射口１１１の周辺に付着又は固化或いはペースト状化した内容物が削がれ除去されることになる。
【００５２】
実施形態４において、除去部１２０は、噴射可能位置における正面方向と、噴射不能位置における正面方向との間の位置に突設されている。また、ブレード状の除去部１２０は、板面を鉛直方向、即ち表裏の板面が回動方向と直角をなすように突設されることが望ましい。
【００５３】
＜実施形態５＞
実施形態５の説明において、実施形態１と同様の構成については、実施形態１を参照するものとし、詳細な説明を省略する。
【００５４】
図１１は、本発明に係る噴射容器１の上部の一例を様々な視点で示す図面である。図１１は、噴射可能（オープン）位置を示しており、図１１（ａ）は、噴射器１１の外観を示す平面図、図１１（ｂ）は、噴射器１１の外観を示す側面図、そして、図１１（ｃ）は、図１１（ｂ）のＡ−Ｂ方向の断面図である。図１２は、本発明に係る噴射容器１の上部の一例を様々な視点で示す図面である。図１２は、噴射不能（ロック）位置を示しており、図１２（ａ）は噴射器１１の外観を示す平面図、図１２（ｂ）は、噴射器１１の外観を示す側面図、そして、図１２（ｃ）は、図１２（ｂ）のＣ−Ｄ方向の断面図である。なお、噴射器１１から延びる矢印は噴射方向を示している。
【００５５】
実施形態５に係る噴射容器１は、噴射器１１を露出させた状態で、噴射器１１の周囲を環状に囲うように配設されたカバー部材（肩カバー）１３を備えている。カバー部材１３には、上方へ向けて突設支持部１３０が突設されており、突設支持部１３０には、ゴム弾性を有するエラストマー素材で形成されたブレード状をなす除去部１３１が、噴射容器１の中心軸方向へ向けて突設されている。
【００５６】
カバー部材１３は、噴射器１１の周囲を環状に囲うように配設されており、噴射器１１の外周部分を覆っているが、噴射器１１自体は上方へ露出している。そして、使用者は、噴射可能位置において、噴射器１１を押下することにより、内容物を図中矢印にて示す噴射方向へ向けて噴射させることができる。
【００５７】
実施形態５に係る噴射容器１では、噴射器１１を噴射可能位置から噴射不能位置までの範囲で周方向に回動（揺動）可能に形成されている。即ち、噴射器１１を周方向に回動させることにより、カバー部材１３と噴射器１１とは、周方向へ相対的に移動可能である。また、噴射器１１の上部は、噴射方向に対して左右の側部が扁平状に形成されている。そして、使用者は、噴射器１１の扁平部分を摘まんで、噴射可能位置から噴射不能位置までの範囲を容易に回動させることができる。
【００５８】
噴射器１１が噴射不能位置にある場合、噴射口１１１は、突設支持部１３０にて覆われており、また、噴射器１１は押下不能となっている。噴射器１１が噴射可能位置にある場合、噴射口１１１の噴射方向は開放される。
【００５９】
そして、噴射器１１が噴射可能位置から噴射不能位置、及び噴射不能位置から噴射可能位置へ回動する場合、突設支持部１３０の内周側に突設されたブレード状の除去部１３１の先端が噴射器１１の噴射口１１１及び噴射口１１１が穿設された噴射面１１２に接触し、接触部分を擦るように摺動する。このような摺動により、噴射口１１１及び噴射口１１１の周辺に付着又は固化或いはペースト状化した内容物が削がれ除去されることになる。
【００６０】
実施形態５において、除去部１３１は、噴射可能位置における正面方向と、噴射不能位置における正面方向との間の位置に突設されている。また、ブレード状の除去部１３１は、板面を鉛直方向、即ち表裏の板面が回動方向と直角をなすように突設されることが望ましい。なお、噴射器１１の向きを固定し、カバー部材１３側が、噴射器１１を中心として噴射器１１の周囲を回動することにより、カバー部材１３と噴射器１１とが、周方向へ相対的に移動可能となるように構成しても良い。
【００６１】
＜噴射容器＞
以上、実施形態１〜５を例示して説明したように、本発明に係る噴射容器１は、噴射器１１の噴射口１１１の近傍に除去部１２０（１３１）を設け、除去部１２０（１３１）又は噴射器１１が相対的に移動することにより、除去部１２０（１３１）が噴射口１１１及び噴射口１１１が穿設された噴射面１１２に接触し、接触部分を擦るように摺動する。これにより、噴射口１１１及び噴射口１１１の周辺に付着又は固化或いはペースト状化した内容物が、スリ落とされ、刮ぎ落とされ、削がれることにより、除去される。
【００６２】
更に、本発明に係る噴射容器１は、噴射口１１１が穿設された噴射面１１２を噴射方向に膨出する球冠状に形成することにより、内容物が噴射面１１２に付着し難く、しかも、付着した場合も掻き取り易くなる。特に、内容物が噴射面１１２に付着し難く、かつ付着した内容物を掻き取り易くなるという効果は、球冠の曲率半径を３〜６ｍｍとすることで顕著となる。
【００６３】
更に、本発明に係る噴射容器１は、ノズル管１１３の内径を噴射口１１１側に向かって漸次狭小するように形成することにより、ノズル管１１３の内径を一定にした場合と比べて、液滴径を小さくし、内容物を細かな霧状に噴霧（噴射）することが可能となる。しかも、メカニカルブレークアップ機構のような細溝を有していないため、目詰まりの発生を起こすこと無く、液滴を細かくすることが可能である。
【００６４】
また、前述の様に噴射容器１は、例示したエアゾール式噴射容器に限らず、ポンプ式噴射容器等の他の容器に適用することも可能である。
【００６５】
また、キャップ部材１２の形態は適宜設計変更することが可能である。即ち、全体に上底面を有する有底円筒状のものでも良く、底面を持たない円筒状であっても良い。更に、キャップ部材１２は、脱着可能な形態であっても、一部に切り欠きを有する形態であっても良い。即ち、キャップ部材１２は、噴射器１１の噴射口１１１の前方を覆うことが可能であれば良い。そして、前方を覆う部分に除去部１２０が取り付けられる。
【００６６】
また、キャップ部材１２は、上下方向に着脱する形式、横方向に回動して開閉する形式、スクリュー式に回転させつつ開閉させる形式、往復回動する形式等の様々な形式に展開することが可能である。
【００６７】
また、キャップ部材１２の除去部１２０は、櫛状、ブラシ状、ブレード状等の様々な形状に設計することが可能である。そして、除去部１２０は、ゴム弾性を有するエラストマー素材等の柔軟な材質を用いて形成することが望ましい。更に、複数のブラシ毛からブラシ状の除去部１２０を形成する場合、歯ブラシに設けられているような合成樹脂製の多数のブリッスルからなるブラシ毛を用いることが可能である。ブリッスルを形成する場合、必ずしも歯ブラシのように多数列に形成すること必要は無く、１列、２列程度の列数であっても良い。また、キャップ部材１２の除去部１２０は、キャップ部材１２の内周側の周方向の一部に設けていても、全周に設けていても良い。
【００６８】
また、除去部１３１は、噴射器１１を露出させ、かつ噴射器１１の周囲の一部又は全部を囲うように配設され、容器本体１０の上部を覆うカバー部材１３に設けるようにしても良い。
【００６９】
＜噴射製品＞
次に、上述した噴射容器に内容物を収容した噴射製品について説明する。噴射製品としては、内容物を噴射口から霧状に噴射する製品、噴射口から泡状に噴射する製品等の様々な製品を例示することができる。更に具体的には、ヘアスタイリングスプレー、ヘアスタイリングフォーム等の整髪用エアゾール製品；ヘアスタイリングミスト等の整髪用ディスペンサー製品；デオドラントスプレー、日焼け止めスプレー、シェービングフォーム等の身体・顔用エアゾール製品；デオドラントミスト、洗顔フォーム等の身体・顔用ディスペンサー製品；デオドラントスプレー等の衣類用エアゾール製品；デオドラントミスト等の衣類用ディスペンサー製品；ラッカースプレー等のエアゾール塗料製品等の噴射製品を例示列挙することができる。特に、本発明に係る噴射製品として適用しない場合には、内容物が噴射口部分に付着し、固化又はペースト状化し易く、本発明の係る噴射製品に適用することで効果が顕著となる整髪用エアゾール製品が好ましく、具体的にはヘアスタイリングスプレー、ヘアスタイリングフォームがより好ましい。
【００７０】
＜内容物＞
噴射容器に収容される内容物としては、
水；
エタノール；
アクリル樹脂アルカノールアミン液（（アクリル酸アルキル／ジアセンアクリルアミド）コポリマーＡＭＰ）、（アクリレーツ／アクリル酸アルキル（Ｃ１−１８）／アルキル（Ｃ１−８）アクリルアミド）コポリマーＡＭＰ、（メタクリロイルオキシエチルカルボキシベタイン／メタクリル酸アルキル）コポリマー、ポリビニルピロリドン、ビニルピロリドン・Ｎ，Ｎ−ジメチルアミノエチルメタクリル酸共重合体ジエチル硫酸塩液、Ｎ−メタクリロイルオキシエチルＮ，Ｎ−ジメチルアンモニウム−α−Ｎ−メチルカルボキシベタイン・メタクリル酸アルキルエステル共重合体液等のセット樹脂；
１，３−ブチレングリコール、ジプロピレングリコール、ポリプロピレングリコール、１，２−ペンタンジオール、１，２−ヘキサンジオール、１，２−オクタンジオール、１，２−デカンジオール、グリセリン、ジグリセリン、ポリグリセリン等の多価アルコール；
軽質イソパラフィン、スクワラン等の炭化水素油；
ミリスチン酸イソプロピル、パルミチン酸エチルヘキシル、２−エチルヘキサン酸セチル等のエステル油；
メチルフェニルシリコーン、シクロペンタシロキサン、ハイドロゲンジメチコン、カプリリルメチコン、ジメチコン等のシリコーン油；
セチルアルコール、ステアリルアルコール等の高級アルコール；
ポリオキシエチレン硬化ヒマシ油、ポリオキシエチレンセチルエーテル、ポリオキシエチレンポリオキシプロピレンテシルテトラデシルエーテル、塩化ステアリルトリメチルアンモニウム、ポリオキシエチレンアルキル（１２〜１４）エーテル（３Ｅ．Ｏ．）等の界面活性剤；
噴射剤；
香料；
フェノキシエタノール、オクトキシグリセリン、メチルパラベン等の防腐剤；
カルボキシビニルポリマー、ヒドロキシエチルセルロース、キサンタンガム等の増粘性高分子；
クエン酸、クエン酸ナトリウム等のｐＨ調整剤；
エデト酸塩、リン酸、ポリリン酸ナトリウム等の金属イオン封鎖剤；
酸化亜鉛、酸化チタン等の紫外線散乱剤；
メトキシケイヒ酸エチルヘキシル、ジエチルアミノヒドロキシベンゾイル安息香酸ヘキシル、ｔ−ブチルメトキシベンゾイルメタン、ビスエチルヘキシルオキシフェノールメトキシフェニルトリアジン等の紫外線吸収剤；
メントール、メンチルグリセリルエーテル、メンチルラクテート、メントール配糖体、カンファー、ハッカ油、ペパーミント油、ユーカリプタスオイル等の冷感剤；
グリチルリチン酸ジカリウム、グリチルリチン酸ステアリル等の抗炎症剤；
シャクヤク、ボタンピ、ビワ、アロエ等の植物抽出エキス；
トコフェロール、ジブチルヒドロキシトルエン等の酸化防止剤；
アルブチン、アスコルビン酸等の美白剤；
シリカ、タルク、ナイロンパウダー等の粉体；
塩化アルミニウム、硫酸アルミニウム、酢酸アルミニウム、クロルヒドロキシアルミニウム、パラフェノールスルホン酸亜鉛等の制汗剤；
塩化ベンザルコニウム、ハロカルバン、塩酸クロルヘキシジン、イソプロピルメチルフェノール、トリクロサン、塩化リゾチーム等の殺菌剤；
酸化亜鉛、アルキルジエタノールアミド、ヒドロキシアパタイト、茶抽出物等の消臭剤；
パントテニルアルコール
を例示列挙することができる。
【００７１】
特に、噴射容器がエアゾール式噴射容器である場合、上記内容物は、噴射剤を含み、原液及び噴射剤から構成される。なお、上記原液とは、噴射剤以外の内容物を意味し、即ち、内容物は、原液及び噴射剤のみから構成される。上記原液及び噴射剤は、原液中に噴射剤の一部が溶け込み完全に相溶して均一な状態で存在していても良い。一般的には、エアゾール式噴射容器において、内容物は、液相と気相とに分離して存在している。気相は噴射剤の気体成分から構成され、液相は原液のみから構成されるか、又は、噴射剤の液体成分及び原液から構成される。
【００７２】
上記噴射剤としては、特に限定されないが、空気、窒素、炭酸ガス、亜酸化窒素等のガス（特に、圧縮ガスが好ましい）；液化石油ガス（ＬＰＧ；Ｌｉｑｕｅｆｉｅｄ  Ｐｅｔｒｏｌｅｕｍ  Ｇａｓ）、ジメチルエーテル（ＤＭＥ：Ｄｉｍｅｔｈｙｌ  ｅｔｈｅｒ）、イソペンタン、フロロカーボン等の液化ガスを例示列挙することができる。上記噴射剤は、１種のみを用いても良く、２種以上を用いても良い。また、例えば、液化ガスのみ、圧縮ガスのみを用いても良く、液化ガス及び圧縮ガスを併用しても良い。
【００７３】
上記液化ガスとしては、特に、噴射力、環境保全、生産性等の観点から、ＬＰＧ、ＤＭＥが好ましく、特にＬＰＧはプロパン、ブタンの比率により噴射能等を制御することができるためより好ましい。上記ＬＰＧとしては、プロパンを０．１〜５０質量％（より好ましくは１〜２０質量％）、及びブタンを５０〜９９．９質量％（より好ましくは８０〜９９質量％）含むＬＰＧが好ましい。
【００７４】
特に、噴射容器がエアゾール式噴射容器である場合、上記内容物中の原液の含有量は、内容物１００質量％に対して、５〜９９．５質量％が好ましく、より好ましくは３０〜９９質量％である。また、上記内容物中の噴射剤の含有量は、内容物１００質量％に対して、０．５〜９５質量％が好ましく、より好ましくは１〜７０質量％である。なお、内容物中の原液の含有量と噴射剤の含有量との合計量は１００質量％である。
【００７５】
以下に、ヘアスタイリングスプレー及びヘアスタイリングフォームの各用途における内容物の好ましい具体例を示す。但し、これに限定されるものではない。
【００７６】
＜ヘアスタイリングスプレー＞
内容物は、原液と噴射剤とから構成される。原液に含まれる特に好ましい成分としては、セット樹脂、エタノールが挙げられる。また、上記以外の原液に含まれる好ましい成分（添加成分）としては、多価アルコール、炭化水素油、エステル油、シリコーン油、パントテニルアルコール、香料等が挙げられる。なお、添加成分は含まれなくても良い。原液１００質量％中のセット樹脂の含有量（固形分の含有量）は、１〜１５質量％が好ましい。原液１００質量％のエタノールの含有量は、５５〜９９質量％が好ましい。原液１００質量％中の添加成分の含有量は、０〜３０質量％が好ましい。噴射剤としては、液化石油ガス（ＬＰＧ）１００質量％が好ましい。原液と噴射剤との質量比（原液／噴射剤）は、３０／７０〜７０／３０が好ましい。
【００７７】
＜ヘアスタイリングフォーム＞
内容物は、原液と噴射剤とから構成される。原液に含まれる特に好ましい成分としては、セット樹脂、エタノールが挙げられる。また、上記以外の原液に含まれる好ましい成分（添加成分）としては、多価アルコール、炭化水素油、エステル油、シリコーン油、界面活性剤、パントテニルアルコール、香料等が挙げられる。なお、添加成分は含まれなくても良い。原液１００質量％中のセット樹脂の含有量（固形分の含有量）は、１〜１０質量％が好ましい。原液１００質量％の水の含有量は、６０〜９９質量％が好ましい。原液１００質量％中の添加成分の含有量は、０〜３０質量％が好ましい。噴射剤としては、液化石油ガス（ＬＰＧ）１００質量％が好ましい。原液と噴射剤との質量比（原液／噴射剤）は、７０／３０〜９９／１が好ましい。
【実施例】
【００７８】
次に、上述した噴射容器に係る実施例について、比較例とともに説明する。
【００７９】
下記の表１に示すように実施例１〜４及び比較例１〜４として記載した各種条件の噴射容器について、目詰まりの状況を評価する試験を行った。実施例１〜４及び比較例１〜４では、図１〜６を用いて説明したものと同様のエアゾール式噴射容器（容器本体、噴射器、キャップ部材（ポリプロピレン製））を使用した。ただし、噴射面の曲率半径Ｒ（単位：ｍｍ）を表１に示す通り変更している。使用した噴射器の径は１７．２ｍｍφ、キャップ部材の高さは３２ｍｍ、中央部分の窪みの深さは１７ｍｍ、外径は３４．８ｍｍφ、中央部分の窪みの径は２２．４ｍｍφ、貫通孔の径（ブラシの内径）は１６．３ｍｍφであった。また、キャップ部材は図５で示した態様で容器本体と係合する（係合時に、ブラシ状の除去部の位置が噴射口の位置よりも低い位置となる）。なお、比較例４ではキャップ部材を使用しなかった。
【００８０】
【表１】
2018043180.tif 000003
【００８１】
試験の条件について説明する。下記組成の原液及び噴射剤を混合した内容物をエアゾール式噴射容器（サイズ：５３ｍｍφ×１６０ｍｍ、容量：１８０ｇ）に収容し、噴射製品を得た。
【００８２】
（原液）
アクリル酸アルキルコポリマーＡＭＰ            ９    質量％
ジフェニルシロキシフェニルトリメチコン        ０．２質量％
香料                                          ０．１質量％
エタノール                                  ９０．７質量％
合計                                      １００    質量％
（噴射剤）
ＬＰＧ                                    １００    質量％
原液／噴射剤（質量比）  ６０／４０
【００８３】
得られた噴射製品を、温度１０℃の環境で保管し、１日１回噴射する工程を５０回繰り返した。即ち、５０日間の試験で合計５０回噴射を行った。キャップ部材の着脱は、１日１回の噴射時に行った。そして、「目詰まり」について以下の評価基準で評価を行った。
【００８４】
「目詰まり」については、各噴射時において、噴射状態（噴射方向、勢い、息継ぎ現象（噴射の途切れ）の有無）を観察し、以下の評価基準に基づいて官能評価を行った。
○（目詰まりなし）：試験期間中に噴射方向の異常、噴射の勢いの低下、息継ぎ現象のいずれも生じない。
△（目詰まりあり）：試験期間中に噴射方向の異常、噴射の勢いの低下、息継ぎ現象のいずれかが生じた。
×（目詰まり発生）：試験期間中に完全に閉塞。
【００８５】
実施例１〜４は、ノズル管の先端近傍が噴射口に向かって漸次狭小し、噴射面の曲率半径がＲ＝３，４，５，６（単位：ｍｍ）である噴射容器について評価した結果を示している。いずれの実施例においても、目詰まりは発生しなかった。
【００８６】
比較例１，２，３は、ノズル管の先端近傍が噴射口に向かって漸次狭小し、噴射面の曲率半径がＲ＝７，２，０．５（単位：ｍｍ）である噴射容器について評価した結果を示している。比較例１，２は、目詰まりがあり（△）、比較例３については、目詰まりが発生して噴射口が完全に閉塞した（×）。
【００８７】
比較例４は、キャップ部材を着脱しなかった例であり、目詰まりが発生して噴射口が完全に閉塞した（×）。
【００８８】
次に本発明に係る噴射製品（特にエアゾール製品）の内容物の処方例を示す。
【００８９】
処方例１（ヘアスタイリングスプレー）
（原液）
アクリル樹脂アルカノールアミン液                ５質量％
グリセリン                                      １質量％
エタノール                                        残部
合計                                        １００質量％
（噴射剤）
ＬＰＧ                                      １００質量％
原液／噴射剤（質量比）＝５０／５０
【００９０】
処方例２（ヘアスタイリングスプレー）
（原液）
アクリル樹脂アルカノールアミン液                ３質量％
グリセリン                                      ５質量％
ポリオキシエチレンセチルエーテル（１５Ｅ．Ｏ）  １質量％
精製水                                            残部
合計                                        １００質量％
（噴射剤）
ＬＰＧ                                      １００質量％
原液／噴射剤（質量比）＝９０／１０
【００９１】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【産業上の利用可能性】
【００９２】
本発明は、容器本体内に収容された内容物を噴射する噴射容器、噴射容器に用いられるキャップ部材、そして、容器本体内に内容物を収容した噴射製品として好適に利用することが可能である。
【符号の説明】
【００９３】
１      噴射容器
１０    容器本体
１０１  バルブステム
１０２  雄ネジ部
１１    噴射器
１１０  ノズル部
１１１    噴射口
１１２    噴射面
１１３    ノズル管
１２    キャップ部材
１２０  除去部
１２１  貫通孔
１２２  雌ネジ部
１２３  押下部材
１２４  当接部材
１２５  揺動軸
１３    カバー部材
１３０  突設支持部
１３１  除去部
【図１】
2018043180.tif 000004
【図２】
2018043180.tif 000005
【図３】
2018043180.tif 000006
【図４】
2018043180.tif 000007
【図５】
2018043180.tif 000008
【図６】
2018043180.tif 000009
【図７】
2018043180.tif 000010
【図８】
2018043180.tif 000011
【図９】
2018043180.tif 000012
【図１０】
2018043180.tif 000013
【図１１】
2018043180.tif 000014
【図１２】
2018043180.tif 000015